(57)【要約】【課題】建具用額縁の寸法の調整部材を容易に切断できるようにし、建具用額縁の調整作業を容易にする。【解決手段】建具用額縁２は、枠取付部材３と、調整部材４を備えている。枠取付部材３は、枠２０に取り付けられる取付部６０と、見付け方向に沿って突出する見付け部６３と、見付け部６３に形成された被連結部６４を有する。調整部材４は、切断により見込み方向の寸法が調整可能な見込み片７０と、見付け部６３に装着される見付け片７１と、見付け片７１に形成されて被連結部６４に連結する連結部７２を有する。見付け片７１は、見込み片７０と連結部７２の間に位置して、切断により見付け方向の寸法が調整可能な調整部７６を有する。【選択図】  図２
2019152072.tif 000002
【特許請求の範囲】
【請求項１】
建具の枠に取り付けられる枠取付部材と、前記枠取付部材に連結される調整部材と、を備えた建具用額縁であって、
前記枠取付部材は、前記建具の枠に取り付けられる取付部と、見付け方向に沿って突出する見付け部と、前記見付け部に形成された被連結部と、を有し、
前記調整部材は、前記取付部から前記見付け部の突出方向に離隔して配置されて切断により見込み方向の寸法が調整可能な見込み片と、前記見込み片から前記見付け部に向かって突出して前記見付け部に装着される見付け片と、前記見付け片に形成されて前記被連結部に連結する連結部と、を有し、
前記見付け片は、前記見込み片と前記連結部の間に位置して、切断により見付け方向の寸法が調整可能な調整部を有する建具用額縁。
【請求項２】
請求項１に記載された建具用額縁において、
前記見込み片は、見込み方向に互いに間隔を開けて形成されて、前記調整部材の長手方向に延びる複数の溝を有し、
前記調整部は、見付け方向に互いに間隔を開けて形成されて、前記調整部材の長手方向に延びる複数の溝を有する建具用額縁。
【請求項３】
請求項１又は２に記載された建具用額縁において、
前記枠取付部材は、前記見付け部の見付け方向の互いに異なる位置に形成されて、それぞれ前記連結部が連結される複数の前記被連結部を有する建具用額縁。
【請求項４】
請求項１ないし３のいずれかに記載された建具用額縁において、
前記調整部材は、前記見付け片に連続して形成されて前記取付部を覆うカバー部を有する建具用額縁。
【請求項５】
請求項１ないし４のいずれかに記載された建具用額縁において、
見込み寸法と見付け寸法の少なくとも一方が異なる複数種類の前記枠取付部材のうちの１つの枠取付部材と、見込み寸法と見付け寸法の少なくとも一方が異なる複数種類の前記調整部材のうちの１つの調整部材とが組み合わされる建具用額縁。
【請求項６】
枠と、請求項１ないし５のいずれかに記載された建具用額縁と、を備えた建具。
【発明の詳細な説明】
【技術分野】
【０００１】
本発明は、建具の枠に取り付けられる建具用額縁、及び、建具用額縁を備えた建具に関する。
【背景技術】
【０００２】
ドア等の建具では、建具の枠が建物の開口部に設置されて、枠に取り付けられた建具用額縁により、枠の周辺部が覆われる。また、建具をリフォームするときには、既設枠を残したまま、新設枠を建物の開口部に設置して、建具用額縁により、既設枠を覆うことがある。ところが、建物の開口部の寸法、建物の開口部周りの形状、枠の寸法、及び、枠の形状等は様々であるため、建具の周辺の状況に応じた建具用額縁を用いる必要がある。これに対し、従来、長さ調整部の切断と化粧面部の切断により、寸法が調整可能な建具用額縁が知られている（特許文献１参照）。
【０００３】
特許文献１に記載された従来の建具用額縁では、化粧面部と長さ調整部は、寸法の調整部材である。化粧面部は、第１面と第２面の間に位置する切断可能な化粧面本体部を有しており、長さ調整部は、化粧面部の第２面に連結される。長さ調整部の切断により、建具用額縁の見込み方向の寸法が調整され、化粧面本体部の切断により、建具用額縁の見付け方向の寸法が調整される。しかしながら、化粧面部の第２面は切断できないため、建具用額縁の見込み方向の寸法を第２面の寸法よりも短く調整するのは困難である。また、化粧面本体部を切断するときには、第１面と第２面が邪魔になり、調整用の工具（例えば、ペンチ）で化粧面本体部を掴み難い。そのため、従来の建具用額縁では、調整作業が行い難くなっており、調整作業の効率を向上する観点から、改良の余地がある。
【先行技術文献】
【特許文献】
【０００４】
【特許文献１】特開２０１６−３３２８２号公報
【発明の概要】
【発明が解決しようとする課題】
【０００５】
本発明は、前記従来の問題に鑑みなされたもので、その目的は、建具用額縁の寸法の調整部材を容易に切断できるようにし、建具用額縁の調整作業を容易にすることである。
【課題を解決するための手段】
【０００６】
本発明は、建具の枠に取り付けられる枠取付部材と、前記枠取付部材に連結される調整部材と、を備えた建具用額縁である。前記枠取付部材は、前記建具の枠に取り付けられる取付部と、見付け方向に沿って突出する見付け部と、前記見付け部に形成された被連結部と、を有する。前記調整部材は、前記取付部から前記見付け部の突出方向に離隔して配置されて切断により見込み方向の寸法が調整可能な見込み片と、前記見込み片から前記見付け部に向かって突出して前記見付け部に装着される見付け片と、前記見付け片に形成されて前記被連結部に連結する連結部と、を有する。前記見付け片は、前記見込み片と前記連結部の間に位置して、切断により見付け方向の寸法が調整可能な調整部を有する。
また、本発明は、枠と、建具用額縁と、を備えた建具である。
【発明の効果】
【０００７】
本発明によれば、建具用額縁の寸法の調整部材を容易に切断でき、建具用額縁の調整作業を容易にすることができる。
【図面の簡単な説明】
【０００８】
【図１】第１実施形態の建具の正面図である。
【図２】第１実施形態の建具の縦断面図である。
【図３】第１実施形態の建具の横断面図である。
【図４】第１実施形態の建具用額縁の断面図である。
【図５】第１実施形態の建具用額縁における枠取付部材と調整部材の組み合わせのバリエーションを示す断面図である。
【図６】第１実施形態の建具用額縁の他の例を示す断面図である。
【図７】第２実施形態の建具の横断面図である。
【図８】第２実施形態の建具用額縁の断面図である。
【図９】第２実施形態の建具用額縁の断面図である。
【発明を実施するための形態】
【０００９】
本発明の建具用額縁と建具の一実施形態について、図面を参照して説明する。
本実施形態の建具用額縁は、建具に用いられる化粧材であり、建具の枠に取り付けられる。以下では、改装された建具を例にとり、建具用額縁と建具の２つの実施形態について説明する。従って、建具は、改装建具であり、建具用額縁は、改装建具用額縁である。また、建具は、玄関ドアであり、既設の玄関ドアを改装することで設置される。
【００１０】
（第１実施形態）
図１は、第１実施形態の建具１の正面図であり、室外側からみた建具１の概略構成を示している。図１において、左右方向が水平方向であり、上下方向が垂直方向である。
図示のように、建具１は、建物１０の開口部１１に設置されて、建物１０の室内と室外の間に配置される。また、建具１は、開口枠である枠２０と、枠２０の開口部２１に配置されたパネル体３０（図では、二点鎖線で示す）と、建具用額縁２（以下、単に額縁という）を備えている。パネル体３０は、方形状の開閉体（ドアパネル）であり、枠２０に開閉可能に取り付けられている。
【００１１】
枠２０は、建物１０の開口部１１に設置される方形状の枠体（ドア枠）であり、上枠２２、下枠２３、及び、一対の縦枠２４、２５を有している。上枠２２、下枠２３、及び、一対の縦枠２４、２５は、それぞれ枠２０の一部を構成する長尺な枠材であり、方形状に組み合わされて、枠２０の内側に方形状の開口部２１を形成する。額縁２は、枠２０に沿って装着されるカバー体であり、枠２０に取り付けられて、枠２０の一部と枠２０の周辺部を覆う。ここでは、額縁２（２Ａ、２Ｂ、２Ｃ）は、枠２０の下枠２３には設けられず、枠２０の上枠２２と一対の縦枠２４、２５に設けられている。一対の縦枠２４、２５に取り付けられた額縁２Ｂ、２Ｃの上端部には、キャップ１２が取り付けられている。
【００１２】
以上の建具１の部材は、建具１の改装時に新たに設けられる新設部材（新設枠、新設パネル体、新設額縁等）である。建具１の改装時には、既に設けられていた既設建具の既設部材のうち、取り外し可能な既設部材（既設パネル体等）を取り外す。その後、建物１０に取り付けられた既設部材（既設枠等）を残したまま、新設部材を新たに設ける。ここでは、新設部材と区別するため、既設建具の部材の名称には「既設」の用語を付す。
【００１３】
図２は、第１実施形態の建具１の縦断面図であり、図３は、第１実施形態の建具１の横断面図である。
図示のように、建具１の一方側は、室外側であり、建具１の他方側は、室内側である。また、建具１において、見付け方向は、枠２０（各枠２２〜２５）及び枠２０に取り付けられた額縁２の見付け方向であり、建具１を正面からみたときの枠２０及び額縁２の幅方向である。見込み方向は、枠２０及び枠２０に取り付けられた額縁２の見込み方向であり、建具１を正面からみたときの枠２０及び額縁２の奥行方向（室内外方向）である。見込み方向の一方側は、室外側であり、見込み方向の他方側は、室内側である。
【００１４】
既設枠４０は、開口部４１を形成する既設開口枠であり、建物１０に固定された既設上枠４２、既設下枠４３、及び、一対の既設縦枠４４、４５を有している。既設上枠４２と一対の既設縦枠４４、４５は、それぞれ室外側に張り出す中空状の張出部４６〜４８を有している。枠２０の各枠２２〜２５は、既設枠４０の内周部側（開口部４１側）に配置されて、既設枠４０の各既設枠４２〜４５と建物１０に取り付けられている。下枠２３（図２参照）は、既設下枠４３の開口部４１側（上側）に配置されている。
【００１５】
枠２０の上枠２２は、中空状に形成され、既設上枠４２の開口部４１側（下側）に配置されている。スペーサ３１が、上枠２２と既設上枠４２の間に挟まれている。取付部材３２が、上枠２２に固定されて、ネジ３３により、既設上枠４２と建物１０に固定されている。上枠２２は、取付部材３２とネジ３３により、既設上枠４２と建物１０に取り付けられている。建具１の室内側の額縁（内額縁３４）は、上枠２２の室内側に配置されて、建物１０に固定され、取付部材３２とネジ３３を覆う。上枠２２は、既設上枠４２よりも室外側に突出しており、室外側の端部に位置する保持部２６に額縁２を保持している。上枠２２、内額縁３４、及び、額縁２により、既設上枠４２及び既設上枠４２に取り付けられた既設部材が覆われて遮蔽される。
【００１６】
枠２０の縦枠２４、２５（図３参照）は、中空状に形成されて、既設縦枠４４、４５の開口部４１側（横側）に配置されている。スペーサ３１が、縦枠２４、２５と既設縦枠４４、４５の間に挟まれている。取付部材３２が、縦枠２４、２５に固定されて、ネジ３３により、既設縦枠４４、４５と建物１０に固定されている。縦枠２４、２５は、取付部材３２とネジ３３により、既設縦枠４４、４５と建物１０に取り付けられている。建具１の室内側の額縁（内額縁３４）は、縦枠２４、２５の室内側に配置されて、建物１０に固定され、取付部材３２とネジ３３を覆う。縦枠２４、２５は、既設縦枠４４、４５よりも室外側に突出しており、室外側の端部に位置する保持部２７、２８に額縁２を保持している。縦枠２４、２５、内額縁３４、及び、額縁２により、既設縦枠４４、４５及び既設縦枠４４、４５に取り付けられた既設部材が覆われて遮蔽される。
【００１７】
額縁２（図２、図３参照）は、建具１の室外側の額縁（外額縁）であり、枠２０の上枠２２と一対の縦枠２４、２５に取り付けられている。また、額縁２は、枠２０から建具１の外周部まで配置されて、枠２０の外側に位置する外側部分を覆う。額縁２により、枠２０と既設枠４０の間の部分、及び、既設枠４０が覆われて遮蔽される。また、額縁２と枠２０の各枠２２、２４、２５は、既設部材（ここでは、各既設枠４２、４４、４５）を収容する収容空間１３を形成し、収容空間１３内の既設部材を覆う。
【００１８】
上枠２２の額縁２（上額縁２Ａ）は、上枠２２の長手方向に延び、上枠２２及び既設上枠４２に沿って配置されている。上額縁２Ａは、上枠２２から上枠２２よりも上方の位置まで配置されて、上枠２２の上方に位置する既設上枠４２を覆う。縦枠２４、２５の額縁２（縦額縁２Ｂ、２Ｃ）は、縦枠２４、２５の長手方向に延び、縦枠２４、２５及び既設縦枠４４、４５に沿って配置されている。縦額縁２Ｂ、２Ｃは、縦枠２４、２５から縦枠２４、２５よりも側方の位置まで配置されて、縦枠２４、２５の側方に位置する既設縦枠４４、４５を覆う。額縁２（２Ａ、２Ｂ、２Ｃ）により、各既設枠４２、４４、４５の室外側部である張出部４６、４７、４８が覆われて遮蔽される。
【００１９】
額縁２は、建具１の枠２０（各枠２２、２４、２５）に取り付けられる枠取付部材３と、枠取付部材３に連結される調整部材４と、を備えている。枠取付部材３は、額縁２のベース部材であり、ネジ３５により、各枠２２、２４、２５の保持部２６、２７、２８に取り付けられて、保持部２６、２７、２８に保持されている。カバー５０が、枠取付部材３に装着されて、ネジ３５を覆う。調整部材４は、額縁２の寸法を調整するための切断可能な寸法調整部材であり、枠取付部材３に着脱可能に取り付けられて、枠取付部材３により支持されている。枠取付部材３は、枠２０（各枠２２、２４、２５）よりも室外側に配置されて、枠２０から建具１の外周部側に向かって突出する。調整部材４は、枠取付部材３から建具１の外周部まで配置される。
【００２０】
図４は、第１実施形態の額縁２の断面図であり、額縁２の長手方向に直交する断面を示している。また、図４では、額縁２を分解して、枠取付部材３と調整部材４を別個に示している。図４Ａには、カバー５０とネジ３５を鎖線で示している。
図示のように、第１実施形態の額縁２では、互いに寸法が異なる複数種類の枠取付部材３（図４Ａ、図４Ｂ参照）のうちの１つの枠取付部材３と、互いに寸法が異なる複数種類の調整部材４（図４Ｃ、図４Ｄ参照）のうちの１つの調整部材４とが組み合わされる。
【００２１】
複数種類の枠取付部材３は、見込み寸法Ｋと見付け寸法Ｔの少なくとも一方（一方、又は、両方）が異なる。複数種類の調整部材４は、見込み寸法Ｒと見付け寸法Ｓの少なくとも一方（一方、又は、両方）が異なる。ここでは、２種類の枠取付部材３（第１枠取付部材３Ａ、第２枠取付部材３Ｂ）から１つの枠取付部材３が選択される。また、２種類の調整部材４（第１調整部材４Ａ、第２調整部材４Ｂ）から１つの調整部材４が選択される。複数種類の枠取付部材３と複数種類の調整部材４が任意に組み合わされて、複数種類の額縁２が形成される。
【００２２】
第１枠取付部材３Ａ（図４Ａ参照）の見込み寸法Ｋ１は、第２枠取付部材３Ｂ（図４Ｂ参照）の見込み寸法Ｋ２よりも小さく、第１枠取付部材３Ａの見付け寸法Ｔ１は、第２枠取付部材３Ｂの見付け寸法Ｔ２と同じである。第１枠取付部材３Ａと第２枠取付部材３Ｂは、見込み寸法Ｋ１、Ｋ２のみが異なる。第１調整部材４Ａ（図４Ｃ参照）の見付け寸法Ｓ１は、第２調整部材４Ｂ（図４Ｄ参照）の見付け寸法Ｓ２よりも小さく、第１調整部材４Ａの見込み寸法Ｒ１は、第２調整部材４Ｂの見込み寸法Ｒ２と同じである。第１調整部材４Ａと第２調整部材４Ｂは、見付け寸法Ｓ１、Ｓ２のみが異なる。
【００２３】
額縁２の枠取付部材３は、建具１の枠２０に取り付けられる取付部６０と、カバー５０が装着される装着部６１と、見込み方向に沿って形成された見込み部６２と、見付け方向に沿って形成された見付け部６３と、調整部材４が連結される被連結部６４と、を有している。取付部６０は、各枠２２、２４、２５の保持部２６、２７、２８に配置されて、ネジ３５により、各枠２２、２４、２５の保持部２６、２７、２８に取り付けられる。これにより、取付部６０は、各枠２２、２４、２５の室外側に取り付けられて保持される。ネジ３５は、装着部６１及び取付部６０に形成された貫通孔に室外側から挿入される。
【００２４】
装着部６１は、取付部６０の室外側に溝状に形成された装着溝であり、互いに対向する一対の係合壁６５Ａ、６５Ｂを有している。一方の係合壁６５Ａは、見込み部６２の一部（取付部６０側の部分）であり、一対の係合壁６５Ａ、６５Ｂは、取付部６０の見付け方向両側の端部から室外側に突出する。カバー５０は、装着部６１に向かって突出する一対の係合部５１、５２を有している。カバー５０の一対の係合部５１、５２は、装着部６１の一対の係合壁６５Ａ、６５Ｂの間に室外側から挿入されて、一対の係合壁６５Ａ、６５Ｂの突起と係合する。カバー５０は、係合部５１、５２と係合壁６５Ａ、６５Ｂの係合により、装着部６１に装着されて、装着部６１内のネジ３５と取付部６０を覆う。
【００２５】
見込み部６２は、取付部６０から室外側に向かって形成されて、取付部６０と見付け部６３の間に位置する。見込み部６２は、見付け部６３の枠２０の内周部側（開口部２１側）の端部（基端部）に接続する。見付け部６３は、見付け方向に沿って突出する枠取付部材３の突出部であり、見込み部６２の室外側の端部から建具１の外周部側に向かって突出する。また、見付け部６３は、建具１の室外側の正面に位置する化粧面部であり、取付部６０よりも建具１の外周部側に位置して、既設部材の室外側に配置される。
【００２６】
被連結部６４は、溝状に形成された被連結溝であり、見付け部６３に形成されている。また、被連結部６４は、見付け部６３において室内側に向かって窪んで形成されて、室外側に向けて開放されている。見付け部６３の突出方向の先端部６３Ａ側の部分は、被連結部６４により、溝状に形成されている。見付け部６３の先端部６３Ａは、見付け部６３の建具１の外周部側の端部である。枠取付部材３は、見付け部６３の見付け方向の互いに異なる位置に形成された複数の被連結部６４を有している。ここでは、２つの被連結部６４（第１被連結部６４Ａ、第２被連結部６４Ｂ）が、見付け部６３の先端部６３Ａ側の部分に並列して形成されている。
【００２７】
第１被連結部６４Ａは、見付け部６３の先端部６３Ａ側に位置し、第２被連結部６４Ｂは、第１被連結部６４Ａよりも取付部６０側（枠２０の内周部側）に位置する。２つの被連結部６４のそれぞれは、互いに対向する一対の係合壁６６Ａ、６６Ｂ、６６Ｃを有している。１つの係合壁６６Ｂは、隣接する２つの被連結部６４の間に位置しており、２つの被連結部６４の共通の係合壁になっている。
【００２８】
ここでは、枠取付部材３の見込み寸法Ｋは、見込み部６２の見込み方向の寸法であり、かつ、取付部６０と見付け部６３の見込み方向の最大距離である。また、枠取付部材３の見込み寸法Ｋは、見込み方向における枠取付部材３の枠２０からの張り出し寸法である。見込み寸法Ｋが異なる複数種類の枠取付部材３では、取付部６０に対する見付け部６３の見込み方向の位置が互いに異なる。枠取付部材３の見付け寸法Ｔは、見付け部６３の見付け方向の寸法であり、見付け方向における見付け部６３の見込み部６２からの突出寸法である。見付け寸法Ｔが異なる複数種類の枠取付部材３では、取付部６０に対する被連結部６４の見付け方向の位置が互いに異なる。
【００２９】
額縁２の調整部材４は、見込み方向に沿って形成された見込み片７０と、見付け方向に沿って形成された見付け片７１と、見付け片７１に形成された連結部７２と、を有している。調整部材４の長手方向に直交する断面形状は、Ｌ字状に形成されている。見込み片７０は、見込み方向に突出する板状の見込み壁（見込み板）であり、枠取付部材３の取付部６０から見付け部６３の突出方向（見付け方向）に離隔して配置される。また、見込み片７０は、見付け片７１の建具１の外周部側の端部に接続して、見付け片７１から室内側に向かって突出する。見込み片７０は、建具１の外周部であり、枠取付部材３及び見付け片７１よりも見付け方向における建具１の外周部側に位置する。
【００３０】
見付け片７１は、見付け方向に突出する板状の見付け壁（見付け板）であり、見込み片７０から枠取付部材３の見付け部６３に向かって突出する。また、見付け片７１は、見込み片７０の室外側の端部に接続して、見込み片７０から枠２０の内周部側に向かって突出する。見付け片７１は、枠取付部材３の見付け部６３の室外側に配置されて、見付け部６３に装着される。
【００３１】
連結部７２は、見付け片７１の室内側（見付け部６３側）の部分に形成されており、互いに対向する一対の係合部７３Ａ、７３Ｂを有している。１つの連結部７２が、見付け片７１の見込み片７０側の端部（基端部）と見付け片７１の突出方向の端部（先端部）の間に形成されて、連結部７２の一対の係合部７３Ａ、７３Ｂが、見付け片７１から室内側に突出する。一対の係合部７３Ａ、７３Ｂは、被連結部６４の一対の係合壁６６Ａ、６６Ｂ（又は、６６Ｂ、６６Ｃ）の間に室外側から挿入されて、一対の係合壁６６Ａ、６６Ｂ（又は、６６Ｂ、６６Ｃ）の突起と係合する。連結部７２は、係合部７３Ａ、７３Ｂと係合壁６６Ａ、６６Ｂ（又は、６６Ｂ、６６Ｃ）の係合により、枠取付部材３の被連結部６４に連結する。
【００３２】
調整部材４の連結部７２は、枠取付部材３の複数の被連結部６４のそれぞれに取り付けられる。見付け片７１は、連結部７２の被連結部６４への連結により、枠取付部材３の見付け部６３の室外側に装着される。これにより、見付け片７１が見付け部６３に保持されるとともに、調整部材４が枠取付部材３に取り付けられて保持される。調整部材４の見付け片７１は、枠取付部材３の見付け部６３と同様に、建具１の室外側の正面に位置する化粧面部であり、既設部材の室外側に配置される。見付け片７１と見付け部６３は、見込み方向に重なり合い、互いに接触した状態で連結される。
【００３３】
ここでは、調整部材４の見込み寸法Ｒは、見込み片７０の見込み方向の寸法であり、見込み方向における見込み片７０の見付け片７１からの突出寸法である。調整部材４の見付け寸法Ｓは、見付け片７１の見付け方向の寸法であり、見付け方向における見付け片７１の見込み片７０からの突出寸法である。見付け寸法Ｓが異なる複数種類の調整部材４では、見込み片７０と連結部７２の見付け方向の距離が互いに異なる。
【００３４】
見込み片７０は、調整部材４の見込み寸法Ｒを調整するための見込み調整片であり、切断により見込み方向の寸法が調整可能になっている。また、見込み片７０は、見込み方向に互いに間隔を開けて形成された切断用（折り取り用）の複数の溝７４を有している。見込み片７０の溝７４の部分は、見込み片７０の他の部分よりも薄い薄肉部（弱化部）である。複数の溝７４は、額縁２の内側（収容空間１３側）に位置する見込み片７０の内側部分に凹状（例えば、Ｕ字状、Ｖ字状）に形成されて、額縁２及び調整部材４の長手方向に延びる。複数の溝７４は、見込み片７０の見込み方向における両端部の間で並列して、等間隔に形成されている。
【００３５】
見込み片７０を切断するときには、切断工具（例えば、カッター）を見込み片７０の溝７４に押し付けた状態で溝７４に沿って移動する。切断工具より、見込み片７０を溝７４の部分で切断する。或いは、見込み片７０の溝７４に切断工具で傷を付けた後、見込み片７０を溝７４に沿って折り、見込み片７０を溝７４の部分で折り取る。このように、見込み片７０を切断位置の溝７４において切断し、見込み片７０を調整部材４の長手方向に沿って切断する。切断により、見込み片７０の見付け片７１からの突出寸法が短くなり、見込み片７０の見込み方向の寸法及び調整部材４の見込み寸法Ｒが調整される。
【００３６】
見付け片７１は、連結部７２から見付け片７１の先端部まで突出する突片部７５と、切断により見付け方向の寸法が調整可能な調整部７６と、を有している。連結部７２は、突片部７５と調整部７６の間に形成されている。調整部７６は、調整部材４の見付け寸法Ｓを調整するための見付け調整部であり、見込み片７０と連結部７２の間に位置している。見付け寸法Ｓが異なる複数種類の調整部材４では、調整部７６の見付け方向の寸法（幅）が互いに異なり、突片部７５の見付け方向の寸法（幅）が一致する。
【００３７】
見付け片７１の調整部７６は、見付け方向に互いに間隔を開けて形成された切断用（折り取り用）の複数の溝７７を有している。調整部７６の溝７７の部分は、調整部７６の他の部分よりも薄い薄肉部（弱化部）である。複数の溝７７は、額縁２の内側（収容空間１３側）に位置する見付け片７１の内側部分に凹状（例えば、Ｕ字状、Ｖ字状）に形成されて、額縁２及び調整部材４の長手方向に延びる。複数の溝７７は、調整部７６の見付け方向における両端部の間で並列して、等間隔に形成されている。調整部７６の複数の溝７７の間隔は、見込み片７０の複数の溝７４の間隔と同じである。
【００３８】
調整部７６を切断するときには、切断工具（例えば、カッター）を調整部７６の溝７７に押し付けた状態で溝７７に沿って移動する。切断工具より、調整部７６を溝７７の部分で切断する。或いは、調整部７６の溝７７に切断工具で傷を付けた後、調整部７６を溝７７に沿って折り、調整部７６を溝７７の部分で折り取る。このように、調整部７６を切断位置の溝７７において切断し、調整部７６を調整部材４の長手方向に沿って切断する。見込み片７０は、調整部７６の切断に伴い調整部材４から除去され、或いは、調整部７６の切断前に切断されて調整部材４から除去される。切断により、調整部７６の連結部７２からの突出寸法が短くなり、見付け片７１の見付け方向の寸法及び調整部材４の見付け寸法Ｓが調整される。
【００３９】
見込み片７０又は調整部７６の切断後に、調整部材４の連結部７２が枠取付部材３の被連結部６４に連結される。その際、枠取付部材３の複数の被連結部６４から１つの被連結部６４が選択される。連結部７２と連結する被連結部６４を変更することで、見付け部６３に対する見付け片７１の装着位置（連結位置）、及び、枠取付部材３に対する調整部材４の位置が見付け方向に変更される。その結果、額縁２の見付け寸法が変更される。また、複数種類の枠取付部材３と複数種類の調整部材４の各組み合わせにおいて、複数の被連結部６４から１つの被連結部６４が任意に選択されて、各額縁２の見付け寸法が変更される。
【００４０】
図５は、第１実施形態の額縁２における枠取付部材３と調整部材４の組み合わせのバリエーションを示す断面図である。図５Ａ〜図５Ｄは、連結部７２を第１被連結部６４Ａに連結したときの額縁２を示し、図５Ｅ〜図５Ｈは、連結部７２を第２被連結部６４Ｂに連結したときの額縁２を示している。
図示のように、２種類の枠取付部材３（第１枠取付部材３Ａ、第２枠取付部材３Ｂ）と２種類の調整部材４（第１調整部材４Ａ、第２調整部材４Ｂ）とを組み合わせることで、４種類の額縁２が形成される。
【００４１】
４種類の額縁２のそれぞれで、連結部７２と連結する被連結部６４（第１被連結部６４Ａ、第２被連結部６４Ｂ）を変更することで、額縁２の見付け寸法が２つの寸法に変更される。額縁２の見付け寸法は、額縁２の見付け部の見付け方向の寸法である。ここでは、枠取付部材３の見付け部６３と調整部材４の見付け片７１が、見込み方向に重なり合い、額縁２の見付け部になる。そのため、額縁２の見付け寸法は、見付け部６３と見付け片７１の全体の見付け方向の寸法である。連結部７２を第１被連結部６４Ａに連結したときの額縁２の見付け寸法は、連結部７２を第２被連結部６４Ｂに連結したときの額縁２の見付け寸法よりも大きい。
【００４２】
調整部材４の見付け片７１は、枠取付部材３の複数の被連結部６４の室外側に配置されて、複数の被連結部６４を覆う。見付け片７１により、全ての被連結部６４が覆われて遮蔽される。連結部７２を第１被連結部６４Ａに連結したときには（図５Ａ〜図５Ｄ参照）、見付け片７１の連結部７２の室外側に位置する部分により第１被連結部６４Ａが覆われ、見付け片７１の突片部７５により第２被連結部６４Ｂが覆われる。連結部７２を第２被連結部６４Ｂに連結したときには（図５Ｅ〜図５Ｈ参照）、見付け片７１の調整部７６により第１被連結部６４Ａが覆われ、見付け片７１の連結部７２の室外側に位置する部分により第２被連結部６４Ｂが覆われる。その状態で、見付け片７１の突片部７５は、枠取付部材３の見付け部６３に重ねて配置される。
【００４３】
上額縁２Ａ（図２参照）は、上枠２２に取り付けられる第１枠取付部材３Ａと、第１枠取付部材３Ａに連結される第２調整部材４Ｂと、を備えている。また、上額縁２Ａでは（図５Ｆ参照）、第２調整部材４Ｂの連結部７２は、第１枠取付部材３Ａの第２被連結部６４Ｂに連結されている。図２の第２調整部材４Ｂでは、見込み片７０の切断により除去した部分を鎖線で示している。第２調整部材４Ｂの見込み片７０は、建物１０の室外側を向く壁面１４に向かって突出する。
【００４４】
一方の縦額縁２Ｂ（図３参照）は、一方の縦枠２４に取り付けられる第２枠取付部材３Ｂと、第２枠取付部材３Ｂに連結される第１調整部材４Ａと、を備えている。また、縦額縁２Ｂでは（図５Ｃ参照）、第１調整部材４Ａの連結部７２は、第２枠取付部材３Ｂの第１被連結部６４Ａに連結されている。図３の第１調整部材４Ａでは、見込み片７０の切断により除去した部分を鎖線で示している。第１調整部材４Ａの見込み片７０は、建物１０の室内外方向に沿う壁面１５に沿って配置されて、既設縦枠４４に向かって突出する。
【００４５】
他方の縦額縁２Ｃ（図３参照）は、他方の縦枠２５に取り付けられる第２枠取付部材３Ｂと、第２枠取付部材３Ｂに連結される第２調整部材４Ｂと、を備えている。また、縦額縁２Ｃでは（図５Ｈ参照）、第２調整部材４Ｂの連結部７２は、第２枠取付部材３Ｂの第２被連結部６４Ｂに連結されている。図３の第２調整部材４Ｂでは、見込み片７０の切断により除去した部分を鎖線で示している。第２調整部材４Ｂの見込み片７０は、建物１０の室外側を向く壁面１４に向かって突出する。
【００４６】
図６は、第１実施形態の額縁２の他の例を示す断面図である。
図示のように、建物１０の壁面の位置等によっては、見付け片７１の調整部７６を切断して、調整部７６の一部又は全部を見込み片７０とともに調整部材４から除去する。これにより、調整部材４の見付け寸法Ｓを調整する。また、連結部７２と連結する被連結部６４を変更して、額縁２の見付け寸法を変更する。調整部７６の切断と被連結部６４の変更により、額縁２の見付け寸法を建具１の周辺の状況に合わせて調整する。
【００４７】
以上説明した額縁２では、額縁２の寸法を調整するときに、枠取付部材３を切断せずに、調整部材４のみを切断する。また、調整部材４は、見込み片７０と、見込み片７０から突出する見付け片７１の調整部７６において切断される。そのため、額縁２の寸法の調整部材４を容易に切断でき、額縁２の調整作業を容易にすることができる。建具１の施工現場においても、建具１の周辺の状況に応じて調整部材４を容易に切断でき、額縁２の調整作業の効率を向上することができる。溝７４、７７の位置で見込み片７０と調整部７６を切断することで、見込み片７０と調整部７６を正確かつ容易に切断することができる。
【００４８】
調整部材４の連結部７２を複数の被連結部６４のそれぞれに連結できるため、調整部材４の見付け方向の位置と額縁２の見付け寸法を容易に変更することができる。複数種類の枠取付部材３と複数種類の調整部材４を組み合わせることで、額縁２の部材の数が増加するのを抑制しつつ、額縁２の種類を増加することができる。そのため、額縁２のコストの上昇を抑制することができる。また、建具１の周辺の状況に対応して、額縁２の寸法を容易に変更することができる。１つの建具１の各枠２２、２４、２５に、互いに異なる額縁２を取り付けることもできる。額縁２の寸法と既設部材の寸法との差を小さくできるため、建具１の外観を向上することもできる。
【００４９】
（第２実施形態）
次に、第２実施形態の建具１について、第１実施形態の建具１と相違する事項を説明する。第２実施形態の建具１に関し、第１実施形態の建具１の構成に相当する構成には、第１実施形態の建具１の構成と同じ名称と符号を用い、第１実施形態の建具１と同じ事項の説明は省略する。
【００５０】
図７は、第２実施形態の建具１の横断面図であり、１つの縦枠２５側の建具１の断面を示している。図８は、第２実施形態の額縁２の断面図であり、額縁２を分解して、枠取付部材３と調整部材４を別個に示している。
図示のように、第２実施形態の額縁２では、調整部材４のみが第１実施形態の額縁２の調整部材４と相違する。調整部材４は、見付け片７１に連続して形成されたカバー部７８を有している。カバー部７８は、取付部６０の室外側に配置されて、枠取付部材３の取付部６０を覆う。
【００５１】
調整部材４のカバー部７８は、見付け片７１の先端部に形成されて、枠取付部材３の見付け部６３及び見込み部６２よりも枠２０の内周部側に配置される。また、カバー部７８は、見付け部６３及び見込み部６２から枠２０の内周部側に突出する第１遮蔽部７８Ａと、第１遮蔽部７８Ａの先端部から取付部６０側（室内側）に突出する第２遮蔽部７８Ｂと、を有している。第１遮蔽部７８Ａは、見付け片７１の先端側の部分であり、取付部６０の室外側に配置される。第２遮蔽部７８Ｂは、第１遮蔽部７８Ａと取付部６０の間に配置され、第２遮蔽部７８Ｂの先端部は、カバー５０の室外側面と対峙する。
【００５２】
図９は、第２実施形態の額縁２の断面図であり、連結部７２と連結する被連結部６４を変更したときの額縁２を示している。
図示のように、調整部材４のカバー部７８は、取付部６０を覆うカバー５０を室外側から覆う。連結部７２を第１被連結部６４Ａに連結したときには（図９Ａ参照）、第１遮蔽部７８Ａの一部が見付け部６３に重ねて配置されて、第２遮蔽部７８Ｂが見込み部６２側の位置に配置される。その状態で、カバー部７８は、取付部６０及びカバー５０の一部（見付け部６３側の部分）を覆う。
【００５３】
連結部７２を第２被連結部６４Ｂに連結したときには（図９Ｂ参照）、第１遮蔽部７８Ａが見付け部６３から突出し、第２遮蔽部７８Ｂが見込み部６２から見付け方向に離隔した位置に配置される。その状態で、カバー部７８は、取付部６０及びカバー５０の全体を覆う。第２実施形態の額縁２では、カバー部７８により、額縁２の外観をより向上することができる。
【００５４】
なお、枠取付部材３において、１つの被連結部６４を見付け部６３に形成してもよく、３つ以上の被連結部６４を見付け部６３に形成してもよい。また、調整部材４において、溝７４、７７以外の切断補助部を見込み片７０と調整部７６に形成してもよい。額縁２は、建具１の室外側の外額縁であってもよく、建具１の室内側の内額縁であってもよい。建具１は、新装建具であってもよく、玄関ドア以外の建具（例えば、戸、窓）であってもよい。本発明は、種々の建具の額縁に適用することができる。
【符号の説明】
【００５５】
１・・・建具、２・・・額縁、３・・・枠取付部材、４・・・調整部材、１０・・・建物、１１・・・開口部、１２・・・キャップ、１３・・・収容空間、１４・・・壁面、１５・・・壁面、２０・・・枠、２１・・・開口部、２２・・・上枠、２３・・・下枠、２４・・・縦枠、２５・・・縦枠、２６・・・保持部、２７・・・保持部、２８・・・保持部、３０・・・パネル体、３１・・・スペーサ、３２・・・取付部材、３３・・・ネジ、３４・・・内額縁、３５・・・ネジ、４０・・・既設枠、４１・・・開口部、４２・・・既設上枠、４３・・・既設下枠、４４・・・既設縦枠、４５・・・既設縦枠、４６・・・張出部、４７・・・張出部、４８・・・張出部、５０・・・カバー、５１・・・係合部、５２・・・係合部、６０・・・取付部、６１・・・装着部、６２・・・見込み部、６３・・・見付け部、６４・・・被連結部、６５Ａ、６５Ｂ・・・係合壁、６６Ａ、６６Ｂ、６６Ｃ・・・係合壁、７０・・・見込み片、７１・・・見付け片、７２・・・連結部、７３Ａ、７３Ｂ・・・係合部、７４・・・溝、７５・・・突片部、７６・・・調整部、７７・・・溝、７８・・・カバー部。
【図１】
2019152072.tif 000003
【図２】
2019152072.tif 000004
【図３】
2019152072.tif 000005
【図４】
2019152072.tif 000006
【図５】
2019152072.tif 000007
【図６】
2019152072.tif 000008
【図７】
2019152072.tif 000009
【図８】
2019152072.tif 000010
【図９】
2019152072.tif 000011